(57)【要約】      （修正有）【課題】持ち運び可能な外部記憶装置に記憶した独自のオペレーションシステムやソフトウェア環境をパソコン内部のハードウェアを変更することなく使用可能にする。【解決手段】外部記憶装置の記憶領域に仮想ＣＤ−ＲＯＭ領域を設け、外部記憶装置側でこれをブータブル（起動可能）に設定し、パソコン起動時４あるいはリセット時に、パソコン側の標準ＢＩＯＳの読込み順位をハードディスクよりＣＤが先になるように設定する６ことにより、外部記憶装置自身のオペレーションシステムからパソコンを起動し８、以後外部記憶装置を主記憶装置として使用する１２。【選択図】図１
2006209367.tif 000002
【特許請求の範囲】
【請求項１】
パソコンに高速インターフェースを介して外部記憶装置を接続できる構成で、外部記憶装置の記憶領域にブート可能な、オペレーションシステムを含む仮想ＣＤ−ＲＯＭイメージを持ち、パソコン起動時に外部記憶装置をＣＤとして起動し、パソコン本体のオペレーションシステムを使用せずに、外部記憶装置内のオペレーションシステムによりパソコンを起動、操作することを特徴とするコンピュータシステム。
【請求項２】
請求項１記載において、外部記憶装置には仮想ＣＤ−ＲＯＭ領域の外にアプリケーションソフトウェアやデータの領域を持ち、起動後は外部記憶装置内のソフトウェア環境で操作することの出来るコンピュータシステム。
【請求項３】
請求項１記載において、パソコンに接続されるキーボードに外部記憶装置を内蔵し、キーボードに内蔵された外部記憶装置の仮想ＣＤ−ＲＯＭ領域内のオペレーションシステムによりパソコンが起動、動作するコンピュータシステム。
【請求項４】
請求項１記載において、パソコンに接続されるマウスに外部記憶装置を内蔵し、マウスに内蔵された外部記憶装置の仮想ＣＤ−ＲＯＭ領域内のオペレーションシステムによりパソコンが起動、動作するコンピュータシステム。
【発明の詳細な説明】
【技術分野】
【０００１】
本発明は、持ち運び可能な外部記憶装置に記憶した独自のオペレーションシステムやソフトウェア環境をパソコン内部のハードウェアを変更することなく使用可能にするコンピュータシステムに関するものである。
【背景技術】
【０００２】
近年、パソコンの普及に伴い、オペレーションシステムやハードウェアの互換性が高まり、使用者は互換性のあるオペレーションシステムを用いたパソコンであれば各システム間の違いをあまり気にせずともハードウェアやソフトウェアを使用できる環境になってきている。また、外付けハードディスクやメモリーの技術の発達で、大量のデータの持運びも非常に便利になってきている。しかし、複数のパソコン間でこれらのデータを使用する場合、ソフトウェアがインストールされていなかったり、設定が自分の使い慣れたものと違っていたりするため、使いづらいことが多かった。
【０００３】
従来の技術として、特開２００４−２９５４５４号公報や特開平５−２８９８５４号公報があり、いずれも外部記憶装置に格納されたオペレーションシステムを使用する方法について述べられている
【０００４】
しかし前者（特開２００４−２９５４５４号公報）においてはパソコン本体にハードディスク切換え制御部が必要であり、既存で使用されているパソコンを変更せずにそのまま使用できるものではないため、使用上の制約があった
【０００５】
また、後者（特開平５−２８９８５４号公報）においては、本来、システム起動後の光磁気記録再生装置（ＭＯ）あるいはハードディスク装置のメディア交換を目的とするものであり、複数のパソコン間でのオペレーションシステムやソフトウェアの使用を目的としたものでないため、また、近年のオペレーションシステムでは、要求される記憶容量が大きくフロッピー（登録商標）ディスクでは対処困難なため、本発明のコンピュータシステムに応用しようとした場合無理があった。
【特許文献１】特開２００４−２９５４５４号公報
【特許文献２】特開平５−２８９８５４号公報
【発明の開示】
【発明が解決しようとする課題】
【０００６】
解決しようとする問題点は、従来、パソコンのデータを別のパソコンで使用する場合において、もし別のパソコンにデータ作製に用いたものと同じソフトウェアが入っていないときは、ソフトウェアを新たにインストールする必要があり、もし同じソフトウェアが入っていたとしても設定が使い慣れたものと違うことが多く、使いづらい場合が多い点である。
【０００７】
また、ソフトウェアのみでなく、マウスやキーボードについても使い慣れたものでないと使用困難なだけでなく、ソフトウェアによっては誤作動を起こすこともある。
【課題を解決するための手段】
【０００８】
本発明は、上記課題を解決するために、外付け型のハードディスクに代表される大容量で高速な外部記憶装置の記憶領域に仮想ＣＤ−ＲＯＭ領域を設け、外部記憶装置側でこれをブータブル（起動可能）に設定し、パソコン起動時あるいはリセット時に、パソコン側の標準ＢＩＯＳの読込み順位をハードディスクよりＣＤが先になるように設定することにより、外部記憶装置自身のオペレーションシステムからパソコンを起動し、以後外部記憶装置を主記憶装置として使用することを最も主要な特徴とする。
【発明の効果】
【０００９】
本発明の仮想ＣＤを用いたコンピュータシステムを用いることにより、パソコン自体を持ち運ばなくとも、外部記憶装置のみを携帯すれば、出先にあるパソコンを使用して自分の設定環境での操作が可能となり、パソコン自体を持ち運ぶことに比べて、経済的で、携帯性に優れた環境を得ることが出来る。
【発明を実施するための最良の形態】
【００１０】
複数のパソコン間で、操作環境を一定に保つという目的を、パソコンのハードウェアや、ソフトウェアを変更することなく、外部記憶装置の移動のみで可能とするシステムを実現した。
【実施例１】
【００１１】
図１は、本発明を使用した操作のフローチャートである。
【００１２】
ステップ１にて外部記憶装置をパソコンに接続する。外部記憶装置としては、記憶容量が充分にあり、高速で読み書きができるメディアであれば、いかなるものも使用可能である。現状では、容量と速度から外付け型のハードディスクの使用が推奨される。
【００１３】
外部記憶装置のＭＢＲ（ＭＡＳＴＥＲ  ＢＯＯＴ  ＲＥＣＯＲＤ）には、仮想ＣＤ−ＲＯＭに書き込まれたオペレーションシステムを用いてシステムを起動するよう前もって設定しておく。
【００１４】
接続方法としては、ＳＣＳＩ、ＩＥＥＥ１３９４、ＵＳＢ１．１、ＵＳＢ２．０等、高速のインターフェースを使用する。
【００１５】
本実施例においては、外部記憶装置に外付け型の（リムーバブル）ハードディスクを使用し、オペレーションシステムはパソコンと外部記憶装置の双方で、通常使用されている互換性のある物を使用、また接続方法として、ＵＳＢを使用したシステムについて説明する。
【００１６】
ステップ２は、請求項３に示すような、外部記憶装置をキーボードに内蔵して使用する場合にのみ必要になる操作である。外部記憶装置をキーボードに内蔵して使用する場合には、ここで、キーボードの入出力端子をパソコンに接続する。
【００１７】
ステップ３は、請求項４に示すような、外部記憶装置をマウスに内蔵して使用する場合にのみ必要になる操作である。外部記憶装置をマウスに内蔵して使用する場合には、ここで、マウスの入出力端子をパソコンに接続する。
【００１８】
ステップ４で、パソコンの電源を入れると、パソコンは自動的に起動ドライブを探す作業を開始する。起動ドライブの確認作業の順番は各パソコンの設定によりさまざまであるが、通常、フロッピー（登録商標）ディスク、ハードディスク、ＣＤ−ＲＯＭの順番に設定されていることが多い。
【００１９】
通常パソコンは電源投入直後にファンクションキーなどの、ある特定のキー入力をすることで起動順位選定モードになり、起動順位を変更することができるようになっていることが多い。本実施例においては、ファンクションキーで、順位選定するパソコンの場合について説明するが、その他の操作が必要なパソコンについては起動時のディスプレーのプロンプトに従うか、あるいはパソコンのマニュアルを参照して順位の変更方法を確認する。本実施例ではファンクションキーを使用する場合について説明する。
【００２０】
ステップ５で、電源投入直後にファンクションキーを押下すると、パソコンに起動順位選定画面が表示されるので、一時的な起動ドライブとして、ＣＤを指定する。（ステップ６）
【００２１】
外部記憶装置のＭＢＲ（ＭＡＳＴＥＲ  ＢＯＯＴ  ＲＥＣＯＲＤ）設定により、パソコンは外部記憶装置の仮想ＣＤ−ＲＯＭをＣＤとして起動し、ステップ７に示すように仮想ＣＤ−ＲＯＭ内のＢＩＯＳに操作が移行され、ステップ８に示すように仮想ＣＤ−ＲＯＭのオペレーションシステムが起動される。
【００２２】
ステップ９に示すように、オペレーションシステムが、起動時、プリンター等の外部接続機器を自動的に検知認識し、この後、外部記憶装置によるパソコン操作が可能になる。
【００２３】
このとき、パソコン側のデータやソフトウェアを使用する必要がない場合は、ステップ１０に示すパソコン側ハードディスクを隠す作業を自動的に行うように、パソコン側のハードディスクの有効、無効を切り替えるソフトウェアをオペレーションシステムの起動時操作（スタートアップ）に登録しておけば、より安全な作業環境が得られる。
【００２４】
上記手順完了後は、パソコンを外部記憶装置のオペレーションシステムにて操作可能となるので、自分のソフトウェアを自分の設定で起動し（ステップ１１）、操作できるようになる（ステップ１２）。
【００２５】
図２は、請求項１及び請求項２における一実施例のシステム概要を示すブロック図である。
【００２６】
パソコン本体２２には、ディスプレー２４が接続されており、キーボード２９はコネクター２７により、マウス３０はコネクター２８により、パソコン本体２２のメイン制御部２３の入出力用の端子２５にそれぞれ接続されている。いま、外部記憶装置２１を、端子２５にコネクター２６により接続した後にパソコン本体２２の電源を入れると、前述の仮想ＣＤを用いたコンピュータシステムとしての操作が可能となる。
【実施例２】
【００２７】
図３は、請求項３における、キーボードに外部記憶装置を内蔵した実施例のシステム概要を示すブロック図である。
【００２８】
図３の実施例において、外部記憶装置２１はキーボード２９に内蔵されているので、キーボード２９は、外部記憶装置２１に接続されたコネクター２６と、キーボード制御部３１に接続されたコネクター２７の二つの端子を持つ。いま、コネクター２６とコネクター２７を、パソコン本体２２の端子２５に接続した後にパソコン本体２２の電源を入れると、前述の仮想ＣＤを用いたコンピュータシステムとしての操作及びキーボード２９の使用が可能となる。
【実施例３】
【００２９】
図４は、請求項４における、マウスに外部記憶装置を内蔵した実施例のシステム概要を示すブロック図である。
【００３０】
図４の実施例において、外部記憶装置２１はマウス３０に内蔵されているので、マウス３０は、外部記憶装置２１に接続されたコネクター２６と、マウス制御部３２に接続されたコネクター２８の二つの端子を持つ。いま、コネクター２６とコネクター２８を、パソコン本体２２の端子２５に接続した後にパソコン本体２２の電源を入れると、前述の仮想ＣＤを用いたコンピュータシステムとしての操作及びマウス３０の使用が可能となる。
【実施例４】
【００３１】
図５は、請求項３における、キーボード２９に外部記憶装置２１を内蔵した場合のその他の実施例を示す斜視図である。
【００３２】
キーボード２９のキーボード制御部３１の入出力は、キーボードコード３４を通してコネクター２７をパソコンに接続して行われる。また、外部記憶装置２１の入出力は、外部記憶装置コード３３を通してコネクター２６をパソコンに接続して行われる。キーボードコード３４と外部記憶装置コード３３は、持ち運びやすいようにチューブ３５で１本にまとめられている。
【００３３】
上記に示すようにコネクターが２個になる以外、外観上は従来の外付けキーボードと大きな相違はなく、このキーボード２９を持ち歩き、移動先のパソコンに接続すれば自分の環境で、自分のキーボードを用いて、パソコンの操作が可能になる。
【００３４】
さらに、キーボードを図５に示すようなタッチパネル式のポインティングデバイス３６（接触式位置入力装置）、あるいは同様の位置入力機能のついたものにすれば、マウスも持ち歩かなくとも操作可能となる。
【産業上の利用可能性】
【００３５】
実施例２や実施例４による外部記憶装置２１を内蔵したキーボード２９を用いれば、キーボードも自分の物を使用できるため、操作性が良くなり、例えば外国で使用する場合でも、キーボード配列の違いやオペレーションシステムの言語の違いに関係なく、パソコンの操作が可能となる。
【００３６】
あるいは、実施例３による外部記憶装置２１を内蔵したマウス３０を用いれば、非常に携帯性が良くなり、マウスを持ち運ぶだけで、出先のパソコンを自分の設定環境で日常使い慣れたマウスを用いて、使用することが可能となる。
【００３７】
本発明の仮想ＣＤを用いたコンピュータシステムは、従来の技術とは異なり、パソコン側のハードウェアやソフトウェアの変更あるいは追加を必要としないため、出先のパソコンを借りて使用する場合でも安心して使用でき、使用後のデータやソフトウェアの削除作業等の煩雑さからも回避できるという特徴を持つ。
【００３８】
また、仕事場と自宅の両方でパソコンを使用する場合においては、本発明の仮想ＣＤを用いたコンピュータシステムを適用して、外部記憶装置２１を主機（メインマシン）とし、仕事場のパソコン及び自宅のパソコンをバックアップ用の副機（サブマシン）とすることにより、外部記憶装置２１を持ち運ぶだけで、いつも同じ環境で作業ができるようになり、パソコンの移動やデータの同期作業の煩わしさが不要の環境を容易に構築することが出来る。
【図面の簡単な説明】
【００３９】
【図１】本発明を使用した操作のフローチャートである。（実施例１）
【図２】システム概要を示すブロック図である。（実施例１）
【図３】キーボードに外部記憶装置を内蔵したシステムの概要を示すブロック図である。（実施例２）
【図４】マウスに外部記憶装置を内蔵したシステムの概要を示すブロック図である。（実施例３）
【図５】キーボード２９に外部記憶装置２１を内蔵したシステムの外観を示す斜視図である。（実施例４）
【符号の説明】
【００４０】
２１    外部記憶装置
２２    パソコン本体
２３    メイン制御部
２４    ディスプレー
２５    端子
２６−２８    コネクター
２９    キーボード
３０    マウス
３１    キーボード制御部
３２    マウス制御部
３３    外部記憶装置コード
３４    キーボードコード
３５    チューブ
３６    ポインティングデバイス
【図１】
2006209367.tif 000003
【図２】
2006209367.tif 000004
【図３】
2006209367.tif 000005
【図４】
2006209367.tif 000006
【図５】
2006209367.tif 000007